(57)【要約】【課題】使用者に特定の情報を報知する機能を備えた血圧計を安価に提供する。【解決手段】血圧計１Ａは、測定用空気袋３０と、測定用空気袋３０を内包するカフ１０と、測定用空気袋３０を加圧させるための加圧ポンプ１４１と、加圧ポンプ１４１が内部に収容された筐体を含む本体１００と、加圧ポンプ１４１を駆動制御することにより、測定用空気袋３０を加圧させて血圧値を測定する血圧値測定部１３１と、加圧ポンプ１４１を駆動制御することにより、当該加圧ポンプ１４１を音源または／および振動源として利用して使用者に特定の情報を報知する報知処理部１３２とを備える。【選択図】図２
2010094410.tif 000002
【特許請求の範囲】
【請求項１】
被測定部位を圧迫するための測定用流体袋と、
前記測定用流体袋を内包するカフと、
前記測定用流体袋を加圧可能なポンプと、
前記測定用流体袋を減圧可能な排気弁と、
前記ポンプが内部に収容された筐体を含む本体と、
前記ポンプおよび前記排気弁を駆動制御することにより、前記測定用流体袋を加圧または減圧させて血圧値を測定する血圧値測定部と、
前記ポンプを駆動制御することにより、使用者に特定の情報を報知する報知処理部とを備えた、血圧測定装置。
【請求項２】
前記測定用流体袋に対する前記ポンプの接続／非接続を切り替える接続状態切替部をさらに備えた、請求項１に記載の血圧測定装置。
【請求項３】
前記報知処理部は、前記ポンプを駆動することで前記ポンプを音源として作動させ、当該ポンプが作動することによって生じる音を前記筐体の外部に伝達することによって使用者に特定の情報を報知する、請求項１または２に記載の血圧測定装置。
【請求項４】
前記報知処理部は、前記ポンプを駆動することで前記ポンプを振動源として作動させ、当該ポンプが作動することによって生じる振動を前記筐体に伝達することによって使用者に特定の情報を報知する、請求項１から３のいずれかに記載の血圧測定装置。
【請求項５】
前記ポンプが作動することによって生じる振動を前記筐体に伝達し易い第１の状態と、前記ポンプが作動することによって生じる振動を前記筐体に伝達し難い第２の状態とに切り替える振動伝達状態切替部をさらに備えた、請求項４に記載の血圧測定装置。
【請求項６】
前記振動伝達状態切替部は、前記筐体に常時接触するように設けられた押し釦を含み、
前記押し釦は、前記第１の状態において前記ポンプに接触し、前記第２の状態において前記ポンプに非接触となる、請求項５に記載の血圧測定装置。
【請求項７】
前記振動伝達状態切替部は、前記ポンプを前記筐体内にて移動可能にする移動機構を含み、
前記移動機構は、前記第１の状態において前記ポンプを前記筐体に接触させ、前記第２の状態において前記ポンプを前記筐体に非接触にする、請求項５に記載の血圧測定装置。
【請求項８】
前記移動機構は、前記ポンプおよび前記排気弁によって加圧または減圧可能な移動用流体袋を含み、
前記ポンプは、前記移動用流体袋が加圧または減圧されることに伴って前記筐体内を移動する、請求項７に記載の血圧測定装置。
【請求項９】
前記本体は、携行を可能にするための係止部を含み、
前記係止部は、前記ポンプに接触する振動伝達部を有している、請求項４に記載の血圧測定装置。
【請求項１０】
前記報知処理部は、特定の情報を使用者に報知するために前記ポンプを駆動する際に、血圧値測定の際に前記ポンプに印加される駆動電圧よりも大きい駆動電圧にて前記ポンプを駆動する、請求項１から９のいずれかに記載の血圧測定装置。
【請求項１１】
前記報知処理部は、特定の情報を使用者に報知するために前記ポンプを駆動する際に、間欠的に前記ポンプを駆動する、請求項１から１０のいずれかに記載の血圧測定装置。
【請求項１２】
時刻を計時する計時部をさらに備え、
前記報知処理部は、前記計時部によって計時された時刻が所定の時刻になった場合に、前記ポンプを駆動することで前記所定の時刻になったことを使用者に報知する、請求項１から１１のいずれかに記載の血圧測定装置。
【発明の詳細な説明】
【技術分野】
【０００１】
本発明は、血圧値を測定することが可能に構成された血圧測定装置に関し、より特定的には、特定の情報を使用者に報知するための報知手段を備えた血圧測定装置に関する。
【背景技術】
【０００２】
血圧値を測定することは、健康状態を知る上で非常に重要なことである。血圧値は、循環器系疾患のリスク解析を行なうための一つの指標であり、当該血圧値を利用したリスク解析は、たとえば脳卒中や心不全、心筋梗塞等の予防に有用であることが知られている。
【０００３】
血圧値は、生活環境（生活習慣）によって容易に変動するため、近年では、測定された血圧値を測定時間とともに時系列的に管理するいわゆるトレンド管理の必要性が認識されてきている。そのため、血圧測定装置（以下、単に「血圧計」とも称する）においても、このトレンド管理が可能となるような各種機能が付加されたものが注目を浴びつつある。
【０００４】
上述したトレンド管理に好適な機能を備えた血圧計としては、たとえば、特開２００４−２６１４５２号公報（特許文献１）に開示のものがある。上記特許文献１に開示の血圧計においては、測定された血圧値と測定時の時刻情報や条件情報とが対応づけて記憶されるように構成されており、たとえば朝時間帯および夕方時間帯など特定の時間帯に測定された血圧値の平均値がそれぞれ算出され、その算出結果に基づいてリスク値が算出されて表示されるように構成されている。
【０００５】
この種のトレンド管理を行なう血圧計においては、所定の時刻になったことを使用者に報知する報知手段を具備していることが望ましい。このような報知手段を具備していれば、血圧測定を行なうべき時刻を使用者に報知してその測定を促したり、降圧剤等の治療薬を内服すべき時刻を使用者に報知してその服用を促したりすることができ、高品位のリスク解析や治療の補助ツールとして血圧計を利用することができる。
【０００６】
また、血圧計に具備される報知手段としては、上述した時刻を使用者に報知するものの他に、測定結果を使用者に報知するためのものや使用者に操作を促すためのガイドとしての情報を報知するもの等が知られている。これら報知手段を具備した血圧計とすれば、測定結果を直ちに使用者に報知することが可能になったり、血圧計の操作に不慣れな使用者にその操作手順を促すようにすることが可能になったりするため、使い勝手の良い血圧計とすることができる。
【０００７】
一般に、血圧計に具備される報知手段としては、視覚や聴覚、触覚等を刺激するものが知られている。たとえば、特開２００１−７０２６０号公報（特許文献２）に開示の血圧計においては、聴覚を刺激する報知音を発する音源を血圧計の本体に具備させた構成が採用されており、特開２０００−１５７５０２号公報（特許文献３）や特開２００６−１５８６３９号公報（特許文献４）に開示の血圧計においては、触覚を刺激する刺激手段や振動源等を血圧計の本体に具備させた構成が採用されている。また、血圧計には、通常、表示部が設けられており、当該表示部も視覚を通じて使用者に各種の情報を報知する報知手段として機能する。
【特許文献１】特開２００４−２６１４５２号公報
【特許文献２】特開２００１−７０２６０号公報
【特許文献３】特開２０００−１５７５０２号公報
【特許文献４】特開２００６−１５８６３９号公報
【発明の開示】
【発明が解決しようとする課題】
【０００８】
しかしながら、上述した特許文献２ないし４の如くの構成とした場合には、血圧計の本体に上述した各種の報知手段を具備させることが必要であり、部品点数が増加して製造コストが増大する問題が生じる。
【０００９】
したがって、本発明は、上述の問題点を解消すべくなされたものであり、使用者に特定の情報を報知する機能を備えた血圧計を安価に提供することを目的とする。
【課題を解決するための手段】
【００１０】
本発明に基づく血圧測定装置は、被測定部位を圧迫するための測定用流体袋と、上記測定用流体袋を内包するカフと、上記測定用流体袋を加圧可能なポンプと、上記測定用流体袋を減圧可能な排気弁と、上記ポンプが内部に収容された筐体を含む本体と、上記ポンプおよび上記排気弁を駆動制御することにより、上記測定用流体袋を加圧または減圧させて血圧値を測定する血圧値測定部と、上記ポンプを駆動制御することにより、使用者に特定の情報を報知する報知処理部とを備えている。
【００１１】
上記本発明に基づく血圧測定装置は、さらに、上記測定用流体袋に対する上記ポンプの接続／非接続を切り替える接続状態切替部を備えていることが好ましい。
【００１２】
上記本発明に基づく血圧測定装置にあっては、上記報知処理部が、上記ポンプを駆動することで上記ポンプを音源として作動させ、当該ポンプが作動することによって生じる音を上記筐体の外部に伝達することによって使用者に特定の情報を報知することが好ましい。
【００１３】
上記本発明に基づく血圧測定装置にあっては、上記報知処理部が、上記ポンプを駆動することで上記ポンプを振動源として作動させ、当該ポンプが作動することによって生じる振動を上記筐体に伝達することによって使用者に特定の情報を報知することが好ましい。
【００１４】
上記本発明に基づく血圧測定装置は、さらに、上記ポンプが作動することによって生じる振動を上記筐体に伝達し易い第１の状態と、上記ポンプが作動することによって生じる振動を上記筐体に伝達し難い第２の状態とに切り替える振動伝達状態切替部を備えていることが好ましい。
【００１５】
上記本発明に基づく血圧測定装置にあっては、上記振動伝達状態切替部が、上記筐体に常時接触するように設けられた押し釦を含んでいることが好ましく、その場合に、上記押し釦が、上記第１の状態において上記ポンプに接触し、上記第２の状態において上記ポンプに非接触となることが好ましい。
【００１６】
上記本発明に基づく血圧測定装置にあっては、上記振動伝達状態切替部が、上記ポンプを上記筐体内にて移動可能にする移動機構を含んでいることが好ましく、その場合に、上記移動機構が、上記第１の状態において上記ポンプを上記筐体に接触させ、上記第２の状態において上記ポンプを上記筐体に非接触にすることが好ましい。
【００１７】
上記本発明に基づく血圧測定装置にあっては、上記移動機構が、上記ポンプおよび排気弁によって加圧または減圧可能な移動用流体袋を含んでいることが好ましく、その場合に、上記ポンプが、上記移動用流体袋が加圧または減圧されることに伴って上記筐体内を移動することが好ましい。
【００１８】
上記本発明に基づく血圧測定装置にあっては、上記本体が、携行を可能にするための係止部を含んでいることが好ましく、その場合に、上記係止部が、上記ポンプに接触する振動伝達部を有していることが好ましい。
【００１９】
上記本発明に基づく血圧測定装置にあっては、上記報知処理部が、特定の情報を使用者に報知するために上記ポンプを駆動する際に、血圧値測定の際に上記ポンプに印加される駆動電圧よりも大きい駆動電圧にて上記ポンプを駆動することが好ましい。
【００２０】
上記本発明に基づく血圧測定装置にあっては、上記報知処理部が、特定の情報を使用者に報知するために上記ポンプを駆動する際に、間欠的に上記ポンプを駆動することが好ましい。
【００２１】
上記本発明に基づく血圧測定装置は、さらに、時刻を計時する計時部を備えていることが好ましく、その場合に、上記報知処理部が、上記計時部によって計時された時刻が所定の時刻になった場合に、上記ポンプを駆動することで上記所定の時刻になったことを使用者に報知することが好ましい。
【発明の効果】
【００２２】
本発明によれば、使用者に特定の情報を報知する機能を備えた血圧計を安価に製作することが可能になる。
【発明を実施するための最良の形態】
【００２３】
以下、本発明の実施の形態について、図を参照して詳細に説明する。なお、以下に示す実施の形態は、被測定部位として上腕が採用されたいわゆる上腕式の血圧計に本発明を適用した場合を例示するものである。
【００２４】
（実施の形態１）
図１は、本発明の実施の形態１における血圧計の外観構造を示す斜視図であり、図２は、図１に示す血圧計の機能ブロックの構成を示すブロック図である。また、図３は、図１に示す血圧計の本体の内部の構造を示す一部破断正面図である。まず、これら図１ないし図３を参照して、本実施の形態における血圧計の構成について説明する。
【００２５】
図１に示すように、本実施の形態における血圧計１Ａは、カフ１０、本体１００およびエア管８０を備えている。カフ１０は、測定時において上腕に装着されるものであり、外装カバー１２によって覆われた帯状の部材からなる。本体１００は、測定時において使用者の手で把持されるか、あるいはテーブル等の載置面に載置されて使用されるものであり、略直方体形状の筐体１１０を有している。また、本体１００の筐体１１０の正面には、表示部１６０および操作部１８０が設けられている。エア管８０は、カフ１０と本体１００とを接続しており、このうちエア管８０の本体１００側の接続端８１は、本体１００の側面に設けられた接続口１１８に着脱自在に接続される。
【００２６】
図２に示すように、カフ１０は、上述した外装カバー１２に加え、測定用流体袋としての測定用空気袋３０を有している。測定用空気袋３０は、後述する膨縮機構によって加減圧される内腔を有する袋状の部材からなり、上述したエア管８０を介して後述するエア系コンポーネント１４０に接続される。測定用空気袋３０は、上記内腔からの漏気が生じない伸縮性に富んだ材料にて形成されており、好適にはエチレン−酢酸ビニル共重合体（ＥＶＡ）、軟質塩化ビニル（ＰＶＣ）、ポリウレタン（ＰＵ）、ポリアミド（ＰＡ）、生ゴム等にて形成される。
【００２７】
外装カバー１２は、上述した測定用空気袋３０が収容可能な布製の袋状の部材からなり、その表面の所定位置に図示しない面ファスナを有している。面ファスナは、カフ１０を被測定部位としての上腕に巻き付けた状態においてこれを固定する固定手段であり、当該面ファスナを用いてカフ１０を上腕に巻き付け固定することにより、測定用空気袋３０が上腕に固定されることになる。
【００２８】
図２に示すように、本体１００は、上述した表示部１６０および操作部１８０に加え、ＣＰＵ（Central Processing Unit）１３０と、加圧ポンプ１４１と、排気弁１４２と、圧力センサ１４３と、加圧ポンプ駆動回路１４５と、排気弁駆動回路１４６と、発振回路１４７と、タイマー１５０と、メモリ部１７０と、電源部１９０とを有している。
【００２９】
ＣＰＵ１３０は、血圧計１Ａの全体の動作を制御するための手段であり、血圧値測定部１３１と報知処理部１３２とを含んでいる。表示部１６０は、たとえばＬＣＤ（Liquid Crystal Display）にて構成され、測定結果等を表示するための手段である。メモリ部１７０は、たとえばＲＯＭ（Read-Only Memory）やＲＡＭ（Random-Access Memory）にて構成され、血圧値測定のための処理手順をＣＰＵ１３０等に実行させるためのプログラムを記憶したり、測定結果等を記憶したりするための手段である。操作部１８０は、使用者等による操作を受付けてこの外部からの命令をＣＰＵ１３０や電源部１９０に入力するための手段である。電源部１９０は、ＣＰＵ１３０に電源としての電力を供給するための手段である。
【００３０】
ＣＰＵ１３０は、加圧ポンプ１４１および排気弁１４２を駆動するための制御信号を加圧ポンプ駆動回路１４５および排気弁駆動回路１４６に入力したり、測定結果としての血圧値を表示部１６０やメモリ部１７０に入力したりする。また、ＣＰＵ１３０の血圧値測定部１３１は、圧力センサ１４３によって検出された圧力値に基づいて使用者の血圧値を算出する。この血圧値測定部１３１によって取得された血圧値が、測定結果として上述した表示部１６０やメモリ部１７０に入力される。また、ＣＰＵ１３０の報知処理部１３２は、使用者に特定の情報を報知するための報知処理を行なう。具体的には、報知処理部１３２は、加圧ポンプ１４１および排気弁１４２を駆動するための制御信号を加圧ポンプ駆動回路１４５および排気弁駆動回路１４６に入力することで加圧ポンプ１４１および排気弁１４２を駆動し、その際に生じる音や振動によって使用者に特定の情報を報知する。なお、血圧計１Ａは、測定結果としての血圧値を外部の機器（たとえばＰＣ（Personal Computer）やプリンタ等）に出力する出力部を有していてもよい。出力部としては、たとえばシリアル通信回線や各種の記録媒体への書込み装置等が利用可能である。
【００３１】
加圧ポンプ１４１は、測定用空気袋３０の内腔に空気を供給するためのものであり、その動作が加圧ポンプ駆動回路１４５によって制御される。排気弁１４２は、測定用空気袋３０の内部の圧力（以下、「カフ圧」とも称する）を維持したり、測定用空気袋３０の内腔を外部の空間に開放したりするためのものであり、その動作が排気弁駆動回路１４６によって制御される。圧力センサ１４３は、測定用空気袋３０の内部の圧力に応じた出力信号を発振回路１４７に入力する。なお、これら構成要素のうち、加圧ポンプ１４１、排気弁１４２および圧力センサ１４３が上述したエア系コンポーネント１４０に相当し、特に加圧ポンプ１４１と排気弁１４２が測定用空気袋３０を膨縮させる膨縮機構に相当する。
【００３２】
加圧ポンプ駆動回路１４５は、ＣＰＵ１３０から入力された制御信号に基づいて加圧ポンプ１４１の動作を制御する。排気弁駆動回路１４６は、ＣＰＵ１３０から入力された制御信号に基づいて排気弁１４２の開閉動作を制御する。発振回路１４７は、圧力センサ１４３から入力された信号に応じた発振周波数の信号を生成し、生成した信号をＣＰＵ１３０に向けて出力する。
【００３３】
タイマー１５０は、時刻を計時する計時手段であり、計時データを生成してＣＰＵ１３０に入力する。
【００３４】
また、加圧ポンプ１４１は、報知手段の音源および振動源としても機能する。ＣＰＵ１３０の報知処理部１３２は、タイマー１５０から入力された計時データに基づき、予め定めた所定の時刻になった場合に加圧ポンプ駆動回路１４５に向けて制御信号を出力し、加圧ポンプ駆動回路１４５は、当該制御信号に基づいて加圧ポンプ１４１を報知手段の音源および振動源として駆動する。
【００３５】
なお、加圧ポンプ１４１を報知手段の音源および振動源として作動させる場合には、排気弁１４２は開放状態とされることが好ましい。そのように構成した場合には、排気弁１４２が、測定用流体袋３０に対する加圧ポンプ１４１の接続／非接続を切り替える接続状態切替部に相当することになる。すなわち、血圧値測定の際には、排気弁１４２を閉塞させることで測定用流体袋３０が加圧ポンプ１４１によって加圧可能となるように測定用流体袋３０と加圧ポンプ１４１とが接続されるようにし、報知の際には、排気弁１４２を開放させることで測定用流体袋３０が加圧ポンプ１４１によって加圧されないこととなるように測定用流体袋３０と加圧ポンプ１４１との接続が解除されるようにすることが好ましい。
【００３６】
図３に示すように、本体１００の筐体１１０の内部には、上述した図２に示す機能ブロックを構成する各種構成部品が収容されている。より具体的には、筐体１１０の内部には、加圧ポンプ１４１や排気弁１４２、圧力センサ１４３が実装された回路基板１２０等が配設・収容されている。このうち、回路基板１２０には、上述した圧力センサ１４３に加え、図示しないＣＰＵ１３０、加圧ポンプ駆動回路１４５、排気弁駆動回路１４６、発振回路１４７、タイマー１５０等がたとえばＩＣ（Integrated Circuit）化されて実装されている。なお、加圧ポンプ１４１、排気弁１４２および圧力センサ１４３は、図示しない配管を介して上記筐体１１０内において相互に接続されており、当該配管は、上述した接続口１１８を経由してエア管８０に接続されることになる。
【００３７】
本実施の形態における血圧計１Ａにおいては、上述したように、加圧ポンプ１４１が報知手段の音源としても利用される。加圧ポンプ１４１は、その作動時において騒音を発する。この騒音は、加圧ポンプ１４１に具備される駆動モータを作動させた場合に当該駆動モータが発する音や、圧縮空気を吐出するために当該駆動モータによって回転させられる各種回転体が回転動作を行なったときに発する音、加圧ポンプ１４１の作動時に生じる振動によって本体の所定部位が共振を起して発する音等が含まれる。通常、血圧計においては、この加圧ポンプ１４１が作動することによって生じる騒音を低減する工夫がなされているが、本実施の形態における血圧計１Ａにおいては、当該騒音を特定の情報を使用者に報知するための報知音として使用することが企図されている。
【００３８】
また、本実施の形態における血圧計１Ａにおいては、上述したように、加圧ポンプ１４１が報知手段の振動源としても利用される。通常、加圧ポンプ１４１は、筐体１１０との間に振動を吸収し易い部材を介装させた状態で当該筐体１１０に対して固定される。これは、測定用空気袋３０を膨張させるために加圧ポンプ１４１を駆動した際に、加圧ポンプ１４１が作動することによって生じる振動が筐体１１０に可能な限り伝わらないようにするためである。その詳細な説明はここでは省略するが、本実施の形態における血圧計１Ａにおいてもこのような組付け構造が採用されている。その一方で、本実施の形態における血圧計１Ａにあっては、加圧ポンプ１４１を筐体１１０を振動させるための振動源としても利用することが企図されている。したがって、本実施の形態における血圧計１Ａにおいては、加圧ポンプ１４１を報知手段の振動源として利用する場合にのみ上述した加圧ポンプ１４１の振動が積極的に筐体１１０に伝わるように構成している。
【００３９】
具体的には、本実施の形態における血圧計１Ａにおいては、図３（Ａ）に示すように加圧ポンプ１４１の振動が筐体１１０に伝達され易い第１の状態と、図３（Ｂ）に示すように加圧ポンプ１４１の振動が筐体１１０に伝達され難い第２の状態との２状態に本体１００の状態を切り替え選択できるように構成している。
【００４０】
より詳細には、図３（Ａ）および図３（Ｂ）に示すように、本実施の形態における血圧計１Ａの本体１００の上部の所定位置には、押し釦１１２が設けられている。押し釦１１２は、筐体１１０に設けられた開口部１１１に差し込まれた状態で配設されており、図示しない付勢バネおよびロック機構に係合している。ここで、押し釦１１２は、加圧ポンプ１４１の振動が筐体１１０に伝達し易い第１の状態と、加圧ポンプ１４１の振動が筐体１１０に伝達し難い第２の状態とに切り替える振動伝達状態切替部に相当する。なお、押し釦１１２の周面は、上述した第１の状態および第２の状態の如何を問わず常時筐体１１０の上記開口部１１１の周面に接触している。
【００４１】
押し釦１１２は、筐体１１０の内側に位置する端部に当接面１１２ａを有している。使用者が押し釦１１２を操作することにより、押し釦１１２は、図３（Ａ）に示す筐体１１０の内側に向けて押し込まれた状態（第１の状態）と、図３（Ｂ）に示す筐体１１０の外側に向けて突出した状態（第２の状態）との２状態を採り得る。押し釦１１２の当接面１１２ａは、図３（Ａ）に示す第１の状態において加圧ポンプ１４１の外表面に接触し、図３（Ｂ）に示す第２の状態において加圧ポンプ１４１の外表面に非接触となる。そのため、図３（Ａ）に示す第１の状態においては、加圧ポンプ１４１の振動が押し釦１１２を介して筐体１１０に積極的に伝達されることになり、図３（Ｂ）に示す第２の状態においては、加圧ポンプ１４１の振動が筐体１１０に積極的に伝達されないことになる。
【００４２】
したがって、血圧値の測定を行なわない場合には、図３（Ａ）に示す如く押し釦１１２を押し込んだ第１の状態としておくことにより、所定時刻になって加圧ポンプ１４１が駆動されて作動した場合に発生する振動が筐体１１０に伝達されることで筐体１１０が振動し、使用者に当該所定の時刻になったことが報知されることになる。また、その一方で、血圧値の測定を行なう場合には、図３（Ｂ）に示す如く押し釦１１２を押し込んでいない第２の状態とすることにより、血圧値の測定に際して加圧ポンプが駆動されて作動した場合に発生する振動が筐体１１０に伝達され難くすることができる。
【００４３】
図４は、図１に示す血圧計の血圧値測定処理の流れを示すフローチャートである。次に、この図４を参照して、本実施の形態における血圧計における血圧値測定処理の流れについて説明する。このフローチャートに従うプログラムは、図２において示したメモリ部１７０に予め記憶されており、ＣＰＵ１３０がメモリ部１７０からこのプログラムを読出して実行することにより、血圧値測定処理が実行される。
【００４４】
まず、図４に示すように、カフ１０を上腕に装着した使用者が血圧計１Ａの操作部１８０を操作して電源オンの命令を入力すると、電源部１９０からＣＰＵ１３０に対して電源としての電力が供給され、これによりＣＰＵ１３０が駆動し、血圧計１Ａの初期化が行なわれる（ステップＳ１０１）。次に、ＣＰＵ１３０は、血圧値測定のために測定用空気袋３０の加圧を開始する（ステップＳ１０２）。具体的には、ＣＰＵ１３０は、加圧ポンプ１４１を駆動してカフ圧を徐々に上昇させる。その際、ＣＰＵ１３０は、圧力センサ１４３によって検出されるカフ圧の変動を取得する。
【００４５】
次に、ＣＰＵ１３０の血圧値測定部１３１は、微速加圧過程において得られたカフ圧の変動に基づいて血圧値を算出する（ステップＳ１０３）。つづいて、ＣＰＵ１３０は、測定用空気袋３０を開放する（ステップＳ１０４）。具体的には、ＣＰＵ１３０は、排気弁１４２を開放し、測定用空気袋３０内の空気を外部へと排気させる。
【００４６】
次に、ＣＰＵ１３０は、ステップＳ１０３において得られた血圧値をメモリ部１７０および表示部１６０に出力し、メモリ部１７０において当該血圧値が測定結果として記憶され、表示部１６０において上記測定結果としての血圧値が表示される（ステップＳ１０５）。ここで、表示部１６０は、収縮期血圧値および拡張期血圧値をたとえば数値として表示する。これら血圧値の記録、表示後において血圧計１Ａは待機状態をとり、使用者の操作部１８０による電源オフの命令の入力を待って電源としての電力の供給を停止する。
【００４７】
なお、以上において説明した測定方式は、測定用空気袋３０の加圧時に脈波を検出して血圧値を算出するいわゆる加圧測定方式に基づいたものであるが、測定用空気袋３０の減圧時に脈波を検出して血圧値を算出するいわゆる減圧測定方式を採用することも当然に可能である。ただし、加圧測定方式を採用した場合には、減圧測定方式を採用した場合に比べて本体を小型にコンパクトに構成することが可能であるため、加圧測定用方式を採用することが持ち運びの面からは有利である。
【００４８】
図５は、上述した第１の状態における血圧計の動作手順を示すフローチャートである。次に、この図５を参照して、上述した第１の状態における血圧計の動作手順について説明する。なお、このフローチャートに従うプログラムは、図２において示したメモリ部１７０に予め記憶されており、ＣＰＵ１３０がメモリ部１７０からこのプログラムを読出して実行することにより、図５に示す動作手順が実行される。
【００４９】
ＣＰＵ１３０は、使用者の操作部１８０による電源オフの命令が入力された場合に、予め定められた所定の時刻（すなわち設定時刻）になったか否かをＣＰＵ１３０に入力される計時データに基づいて判断する（ステップＳ１１１）。設定時刻でない場合（ステップＳ１１１においてＮＯの場合）には、ＣＰＵ１３０は、引き続きステップＳ１１１の判断を繰り返す。設定時刻になった場合（ステップＳ１１１においてＹＥＳの場合）には、ＣＰＵ１３０は、加圧ポンプ１４１を駆動する（ステップＳ１１２）。具体的には、ＣＰＵ１３０は、加圧ポンプ１４１を駆動して加圧ポンプ１４１を作動させて音と振動を発生させる。
【００５０】
次に、ＣＰＵ１３０は、所定の停止条件（たとえば使用者の操作部１８０による報知停止の命令の入力や報知開始からの所定時間の経過等）が成立したか否かを判断する（ステップＳ１１３）。停止条件が成立していない場合（ステップＳ１１３においてＮＯの場合）には、ＣＰＵ１３０は、引き続きステップＳ１１３の判断を繰り返す。停止条件が成立した場合（ステップＳ１１３においてＹＥＳの場合）には、ＣＰＵ１３０は、加圧ポンプ１４１の駆動を停止する（ステップＳ１１４）。
【００５１】
以上において説明した本実施の形態の如くの血圧計１Ａとすることにより、加圧ポンプ１４１を報知手段の音源および振動源として利用することが可能になるため、音および振動によって所定の時刻になったことを使用者に報知することができる簡素な構成の血圧計とすることができる。このように加圧ポンプ１４１を音源および振動源として利用すれば、ブザー等の音源や振動子等の振動源を別途血圧計に搭載する必要がないため部品点数が増加することを防止でき、非常に安価に血圧計を製作することができる。
【００５２】
また、本実施の形態の如くの血圧計１Ａとすることにより、所定の時刻になったことを使用者の聴覚だけでなく触覚を刺激することで報知することができるため、視力の弱い人や聴力の弱い人にも確実に報知することができ、また騒音の大きい環境下においても確実に使用者に報知することができる。したがって、血圧測定を行なうべき時刻を使用者に報知してその測定を促したり、降圧剤等の治療薬を内服すべき時刻を使用者に報知してその服用を促したりすることができ、高品位のリスク解析や治療の補助ツールとして血圧計を利用することが可能になる。
【００５３】
なお、図６は、音源および振動源として加圧ポンプを利用する場合の加圧ポンプに印加すべき駆動電圧を示す図である。通常、測定用空気袋３０を加圧するために加圧ポンプ１４１に印加される駆動電圧は、加圧ポンプ１４１の定格電圧よりも小さく設定されている。そこで、本実施の形態における血圧計１Ａにおいては、図６に示すように、音源および振動源として加圧ポンプ１４１を利用する場合の加圧ポンプに印加すべき駆動電圧（図６に示す電圧Ｖ２）を、測定用空気袋３０を加圧するために加圧ポンプ１４１に印加される駆動電圧（図６に示す電圧Ｖ１）よりも大きくすることとしている。このようにすれば、より大きな音や振動を得ることが可能になり、報知性能が向上することになる。ただし、その際の駆動電圧Ｖ２は、好ましくは定格電圧と等しいかそれよりも小さくすることが好ましい。
【００５４】
また、図６に示すように、音源および振動源として加圧ポンプ１４１を利用する場合には、間欠的に加圧ポンプ１４１を駆動することが好ましい。その周期としては、たとえば１秒ごとに加圧ポンプ１４１の作動と停止が繰り返されるようにすればよい。このようにすれば、より使用者が血圧計１Ａの本体１００が振動していることを認知し易くなり、報知機能が向上することになる。
【００５５】
また、上述した押し釦１１２としては、これを電源釦と共通の釦とすることが好ましい。このように構成すれば、電源の入／切の操作に伴って上述した第１の状態と第２の状態とが切り替わることになるため、取り扱い性に優れた血圧計とすることができる。
【００５６】
（実施の形態２）
図７は、本発明の実施の形態２における血圧計の機能ブロックの構成を示すブロック図であり、図８は、本実施の形態における血圧計の本体の内部の構造を示す一部破断正面図である。まず、これら図７および図８を参照して、本実施の形態における血圧計の構成について説明する。なお、上述の実施の形態１における血圧計１Ａと同様の部分については図中同一の符号を付し、その説明はここでは繰り返さない。
【００５７】
図７および図８に示すように、上述の実施の形態１における血圧計１Ａと比較した場合に、本実施の形態における血圧計１Ｂは、本体１００が、三方弁１４４、三方弁駆動回路１４８および移動用空気袋１４９を有しており、押し釦を有していない点において相違している。図８に示すように、移動用空気袋１４９は、本体１００の筐体１１０の上部に設けられた突出部１１４と加圧ポンプ１４１との間に配設されており、図７に示すように三方弁１４４を介して上述した加圧ポンプ１４１および排気弁１４２を含む膨縮機構に接続されている。三方弁１４４は、上記膨縮機構の接続先を切り替える弁であり、三方弁駆動回路１４８によってその動作が制御される。三方弁駆動回路１４８は、ＣＰＵ１３０から入力された制御信号に基づいて三方弁１４４の動作を制御する。なお、本実施の形態における血圧計１Ｂにおいては、排気弁１４２に加え、三方弁１４４が、測定用流体袋３０に対する加圧ポンプ１４１の接続／非接続を切り替える接続状態切替部に相当することになる。
【００５８】
本実施の形態における血圧計１Ｂにおいては、上述の実施の形態１における血圧計１Ａと同様に、加圧ポンプ１４１が報知手段の音源および振動源としても利用される。本実施の形態における血圧計１Ｂにおいては、図８（Ａ）に示すように加圧ポンプ１４１の振動が筐体１１０に伝達され易い第１の状態と、図８（Ｂ）に示すように加圧ポンプ１４１の振動が筐体１１０に伝達され難い第２の状態との２状態に本体１００の状態を切り替え選択できるように構成している。
【００５９】
より詳細には、加圧ポンプ１４１は、たとえば図示しないガイドレールや付勢バネ等によって支持されており、図８（Ａ）および図８（Ｂ）に示すように、本体１００の筐体１１０の内部を移動可能に構成されている。ここで、上述したガイドレールや付勢バネ、移動用空気袋１４９は、加圧ポンプ１４１を移動させるための移動機構に相当し、当該移動機構は、加圧ポンプ１４１の振動が筐体１１０に伝達し易い第１の状態と、加圧ポンプ１４１の振動が筐体１１０に伝達し難い第２の状態とに切り替える振動伝達状態切替部に相当する。
【００６０】
図８（Ａ）に示すように、移動用空気袋１４９が膨張していない状態においては、筐体１１０の突出部１１４の当接面１１４ａが加圧ポンプ１４１の外表面に接触した状態にあり、当該状態は、加圧ポンプ１４１の振動が筐体１１０に積極的に伝達される第１の状態に相当することになる。一方、移動用空気袋１４９が膨張した状態においては、加圧ポンプ１４１が筐体１１０の突出部１１４から遠ざかる方向（図中矢印Ａ方向）に向けて移動するため、筐体１１０の突出部１１４の当接面１１４ａが加圧ポンプ１４１の外表面に接触していない状態になり、当該状態は、加圧ポンプ１４１の振動が筐体１１０に積極的に伝達されない第２の状態に相当することになる。
【００６１】
したがって、血圧値の測定を行なわない場合には、図８（Ａ）に示す如く移動用空気袋１４９が膨張していない第１の状態としておくことにより、所定時刻になって加圧ポンプ１４１が駆動されて作動した場合に発生する振動が筐体１１０に伝達されることで筐体１１０が振動し、使用者に当該所定の時刻になったことが報知されることになる。また、その一方で、血圧値の測定を行なう場合には、図８（Ｂ）に示す如く移動用空気袋１４９が膨張している第２の状態とすることにより、血圧値の測定に際して加圧ポンプが駆動されて作動した場合に発生する振動が筐体１１０に伝達され難くすることができる。
【００６２】
図９は、本実施の形態における血圧計の動作手順を示すフローチャートである。次に、この図９を参照して、本実施の形態における血圧計の動作手順について説明する。なお、このフローチャートに従うプログラムは、図７において示したメモリ部１７０に予め記憶されており、ＣＰＵ１３０がメモリ部１７０からこのプログラムを読出して実行することにより、図９に示す動作手順が実行される。
【００６３】
まず、図９に示すように、カフ１０を上腕に装着した使用者が血圧計１Ｂの操作部１８０を操作して電源オンの命令を入力すると、電源部１９０からＣＰＵ１３０に対して電源としての電力が供給され、これによりＣＰＵ１３０が駆動し、血圧計１Ａの初期化が行なわれる（ステップＳ２０１）。次に、ＣＰＵ１３０は、移動用空気袋１４９の加圧を開始し、移動用空気袋１４９の内圧が所定の値となるまで加圧を行なう（ステップＳ２０２）。具体的には、ＣＰＵ１３０は、三方弁１４４を切り替えて加圧ポンプ１４１と移動用空気袋１４９とを接続し、加圧ポンプ１４１を駆動して移動用空気袋１４９の加圧を行なう。これにより、加圧ポンプ１４１は、筐体１１０の内部において移動し、筐体１１０と加圧ポンプ１４１との接触が解除される。
【００６４】
次に、ＣＰＵ１３０は、血圧値測定のために測定用空気袋３０の加圧を開始する（ステップＳ２０３）。具体的には、ＣＰＵ１３０は、三方弁１４４を切り替えて加圧ポンプ１４１と測定用空気袋３０とを接続し、加圧ポンプ１４１を駆動してカフ圧を徐々に上昇させる。その際、ＣＰＵ１３０は、圧力センサ１４３によって検出されるカフ圧の変動を取得する。
【００６５】
次に、ＣＰＵ１３０の血圧値測定部１３１は、微速加圧過程において得られたカフ圧の変動に基づいて血圧値を算出する（ステップＳ２０４）。つづいて、ＣＰＵ１３０は、測定用空気袋３０を開放する（ステップＳ２０５）。具体的には、ＣＰＵ１３０は、排気弁１４２を開放し、測定用空気袋３０内の空気を外部へと排気させる。
【００６６】
次に、ＣＰＵ１３０は、ステップＳ２０４において得られた血圧値をメモリ部１７０および表示部１６０に出力し、メモリ部１７０において当該血圧値が測定結果として記憶され、表示部１６０において上記測定結果としての血圧値が表示される（ステップＳ２０６）。ここで、表示部１６０は、収縮期血圧値および拡張期血圧値をたとえば数値として表示する。
【００６７】
次に、ＣＰＵ１３０は、移動用空気袋１４９を開放する（ステップＳ２０７）。具体的には、ＣＰＵ１３０は、三方弁１４４を切り替えて加圧ポンプ１４１と移動用空気袋１４９とを接続し、排気弁１４２を完全に開放し、移動用空気袋１４９内の空気を外部へと排気させる。この後、血圧計１Ｂは待機状態をとり、使用者の操作部１８０による電源オフの命令の入力を待って電源としての電力の供給を停止する。
【００６８】
なお、本実施の形態における血圧計１Ｂにおいて採用される報知処理は、上述の実施の形態１における血圧計１Ａにおいて採用されていた報知処理（すなわち、図５を参照して説明した報知処理）と同様であるため、その説明はここでは繰り返さない。
【００６９】
以上において説明した本実施の形態の如くの血圧計１Ｂとした場合にも、加圧ポンプ１４１を報知手段の音源および振動源として利用することが可能になるため、上述した実施の形態１における血圧計１Ａとした場合と同様の効果を得ることができる。
【００７０】
図１０は、本実施の形態における血圧計の本体の内部の構造の変形例を示す一部破断正面図でる。本変形例に係る血圧計の機能ブロックの構成は、図８に示した機能ブロックの構成と同様である。
【００７１】
上述の本実施の形態における血圧計においては、移動用空気袋１４９が膨張していない状態を、加圧ポンプ１４１の振動が筐体１１０に伝達し易い第１の状態とし、移動用空気袋１４９が膨張した状態を、加圧ポンプ１４１の振動が筐体１１０に伝達し難い第２の状態としたものであったが、本変形例に係る血圧計は、これを逆にしたものである。具体的には、本変形例に係る血圧計においては、図１０に示すように、本体１００の筐体１１０の所定位置に支持枠１１５を設け、当該支持枠１１５に対して非接触になる位置に加圧ポンプ１４１を配設し、これら支持枠１１５と加圧ポンプ１４１との間に移動用空気袋１４９を配置することにより、本実施の形態における血圧計とは逆の構成を実現している。
【００７２】
図１０（Ａ）に示すように、移動用空気袋１４９が膨張した状態においては、移動用空気袋１４９によって加圧ポンプ１４１が筐体１１０の突出部１１４の当接面１１４ａに向けて押圧されることにより、加圧ポンプ１４１が当該当接面１１４ａに接触した状態にあり、当該状態は、加圧ポンプ１４１の振動が筐体１１０に積極的に伝達される第１の状態に相当することになる。一方、移動用空気袋１４９が膨張していない状態においては、加圧ポンプ１４１が筐体１１０の突出部１１４から遠ざかる方向（図中矢印Ａ方向）に向けて移動するため、加圧ポンプ１４１が筐体１１０の突出部１１４の当接面１１４ａに接触していない状態になり、当該状態は、加圧ポンプ１４１の振動が筐体１１０に積極的に伝達されない第２の状態に相当することになる。
【００７３】
したがって、血圧値の測定を行なわない場合には、図１０（Ａ）に示す如く移動用空気袋１４９が膨張している第１の状態としておくことにより、所定時刻になって加圧ポンプ１４１が駆動されて作動した場合に発生する振動が筐体１１０に伝達されることで筐体１１０が振動し、使用者に当該所定の時刻になったことが報知されることになる。また、その一方で、血圧値の測定を行なう場合には、図１０（Ｂ）に示す如く移動用空気袋１４９が膨張していない第２の状態とすることにより、血圧値の測定に際して加圧ポンプが駆動されて作動した場合に発生する振動が筐体１１０に伝達され難くすることができる。
【００７４】
図１１は、本変形例に係る血圧計の動作手順を示すフローチャートである。次に、この図１１を参照して、本変形例に係る血圧計の動作手順について説明する。なお、このフローチャートに従うプログラムは、図７において示したメモリ部１７０に予め記憶されており、ＣＰＵ１３０がメモリ部１７０からこのプログラムを読出して実行することにより、図１１に示す動作手順が実行される。
【００７５】
まず、図１１に示すように、カフ１０を上腕に装着した使用者が血圧計１Ｂの操作部１８０を操作して電源オンの命令を入力すると、電源部１９０からＣＰＵ１３０に対して電源としての電力が供給され、これによりＣＰＵ１３０が駆動し、血圧計１Ａの初期化が行なわれる（ステップＳ３０１）。次に、ＣＰＵ１３０は、移動用空気袋１４９を開放する（ステップＳ３０２）。具体的には、ＣＰＵ１３０は、三方弁１４４を切り替えて加圧ポンプ１４１と移動用空気袋１４９とを接続し、排気弁１４２を完全に開放し、移動用空気袋１４９内の空気を外部へと排気させる。
【００７６】
次に、ＣＰＵ１３０は、血圧値測定のために測定用空気袋３０の加圧を開始する（ステップＳ３０３）。具体的には、ＣＰＵ１３０は、三方弁１４４を切り替えて加圧ポンプ１４１と測定用空気袋３０とを接続し、加圧ポンプ１４１を駆動してカフ圧を徐々に上昇させる。その際、ＣＰＵ１３０は、圧力センサ１４３によって検出されるカフ圧の変動を取得する。
【００７７】
次に、ＣＰＵ１３０の血圧値測定部１３１は、微速加圧過程において得られたカフ圧の変動に基づいて血圧値を算出する（ステップＳ３０４）。つづいて、ＣＰＵ１３０は、測定用空気袋３０を開放する（ステップＳ３０５）。具体的には、ＣＰＵ１３０は、排気弁１４２を開放し、測定用空気袋３０内の空気を外部へと排気させる。
【００７８】
次に、ＣＰＵ１３０は、ステップＳ３０４において得られた血圧値をメモリ部１７０および表示部１６０に出力し、メモリ部１７０において当該血圧値が測定結果として記憶され、表示部１６０において上記測定結果としての血圧値が表示される（ステップＳ３０６）。ここで、表示部１６０は、収縮期血圧値および拡張期血圧値をたとえば数値として表示する。
【００７９】
次に、ＣＰＵ１３０は、移動用空気袋１４９の加圧を開始し、移動用空気袋１４９の内圧が所定の値となるまで加圧を行なう（ステップＳ３０７）。具体的には、ＣＰＵ１３０は、三方弁１４４を切り替えて加圧ポンプ１４１と移動用空気袋１４９とを接続し、加圧ポンプ１４１を駆動して移動用空気袋１４９の加圧を行なう。これにより、加圧ポンプ１４１は、筐体１１０の内部において移動し、突出部１１４を介して筐体１１０と加圧ポンプ１４１とが接触した状態となる。この後、血圧計１Ｂは待機状態をとり、使用者の操作部１８０による電源オフの命令の入力を待って電源としての電力の供給を停止する。
【００８０】
なお、本変形例に係る血圧計１Ｂにおいて採用される報知処理は、上述の実施の形態１における血圧計１Ａにおいて採用されていた報知処理（すなわち、図５を参照して説明した報知処理）と同様であるため、その説明はここでは繰り返さない。
【００８１】
以上において説明した本実施の形態の変形例の如くの血圧計１Ｂとした場合にも、加圧ポンプ１４１を報知手段の音源および振動源として利用することが可能になるため、上述した実施の形態１における血圧計１Ａとした場合と同様の効果を得ることができる。
【００８２】
（実施の形態３）
図１２は、本発明の実施の形態３における血圧計の本体の構造を示す一部破断側面図である。本実施の形態における血圧計は、上述の実施の形態１における血圧計１Ａとは異なり、加圧ポンプ１４１の振動が筐体１１０に伝達され易い第１の状態と、加圧ポンプ１４１の振動が筐体１１０に伝達され難い第２の状態との２状態に本体１００の状態を切り替え選択するものではないが、他の構成については、上述の実施の形態１における血圧計１Ａと同様のものである。したがって、上述の実施の形態１における血圧計１Ａと同様の部分については図中同一の符号を付し、その説明はここでは繰り返さない。
【００８３】
本実施の形態における血圧計の本体１００は、その背面に携行を可能にするための係止部としてのクリップ部１１６が設けらたものである。当該クリップ部１１６は、ベルト等を挟み込んで保持することが可能に構成されたものである。クリップ部１１６は、本体１００の筐体１１０の内部に向けて延設された振動伝達部１１６ａを有しており、当該振動伝達部１１６ａは、加圧ポンプ１４１の外表面に当接している。この振動伝達部１１６ａは、クリップ部１１６に一体的に設けられており、加圧ポンプ１４１が作動した場合に、当該加圧ポンプが作動することによって生じる振動をクリップ部１１６に効率的に伝えるものである。
【００８４】
本実施の形態の如くの構成を採用することにより、加圧ポンプ１４１を報知手段の音源および振動源として利用した場合に、音および振動のうちの振動を効率的に筐体１１０およびクリップ部１１６に伝達することが可能になる。そのため、上記構成を採用することにより、より確実に使用者に本体１００が振動していることを認知させることが可能になり、報知機能の向上を図ることが可能になる。
【００８５】
以上において説明した本発明の実施の形態およびその変形例においては、加圧ポンプを報知手段の音源および振動源として併用した場合を例示して説明を行なったが、加圧ポンプを報知手段の音源としてのみ利用するように構成してもよいし、加圧ポンプを報知手段の振動源としてのみ利用することとしてもよい。
【００８６】
また、上述した本発明の実施の形態およびその変形例においては、加圧ポンプを音源および振動源として含む報知手段を用いて所定の時刻になったことを報知する構成とした場合を例示して説明を行なったが、報知する情報としてはこれに限られるものではない。たとえば、測定結果を使用者に報知するために上記報知手段を用いたり、使用者に操作を促すためのガイドとしての情報を報知するために上記報知手段を用いたりすることとしてもよい。
【００８７】
また、上述した本発明の実施の形態およびその変形例においては、被測定部位として上腕が採用されたいわゆる上腕式の血圧計に本発明を適用した場合を例示して説明を行なったが、当然に被測定部位として手首が載置されたいわゆる手首式の血圧計等に本発明を適用することも可能である。
【００８８】
このように、今回開示した上記各実施の形態およびその変形例はすべての点で例示であって、制限的なものではない。本発明の技術的範囲は特許請求の範囲によって画定され、また特許請求の範囲の記載と均等の意味および範囲内でのすべての変更を含むものである。
【図面の簡単な説明】
【００８９】
【図１】本発明の実施の形態１における血圧計の外観構造を示す斜視図である。
【図２】本発明の実施の形態１における血圧計の機能ブロックの構成を示すブロック図である。
【図３】本発明の実施の形態１における血圧計の本体の内部の構造を示す一部破断正面図である。
【図４】本発明の実施の形態１における血圧計の血圧値測定処理の流れを示すフローチャートである。
【図５】本発明の実施の形態１における血圧計の第１の状態における動作手順を示すフローチャートである。
【図６】音源および振動源として加圧ポンプを利用する場合の加圧ポンプに印加すべき駆動電圧を示す図である。
【図７】本発明の実施の形態２における血圧計の機能ブロックの構成を示すブロック図である。
【図８】本発明の実施の形態２における血圧計の本体の内部の構造を示す一部破断正面図である。
【図９】本発明の実施の形態２における血圧計の動作手順を示すフローチャートである。
【図１０】本発明の実施の形態２の変形例における血圧計の本体の内部の構造を示す一部破断正面図である。
【図１１】本発明の実施の形態２の変形例における血圧計の動作手順を示すフローチャートである。
【図１２】本発明の実施の形態３における血圧計の本体の構造を示す一部破断側面図である。
【符号の説明】
【００９０】
１Ａ，１Ｂ  血圧計、１０  カフ、１２  外装カバー、３０  測定用空気袋、８０  エア管、８１  接続端、１００  本体、１１０  筐体、１１１  開口部、１１２  押し釦、１１２ａ  当接面、１１４  突出部、１１４ａ  当接面、１１５  支持枠、１１６  クリップ部、１１６ａ  振動伝達部、１１８  接続口、１２０  回路基板、１３０  ＣＰＵ、１３１  血圧値測定部、１３２  報知処理部、１４０  エア系コンポーネント、１４１  加圧ポンプ、１４２  排気弁、１４３  圧力センサ、１４４  三方弁、１４５  加圧ポンプ駆動回路、１４６  排気弁駆動回路、１４７  発振回路、１４８  三方弁駆動回路、１４９  移動用空気袋、１５０  タイマー、１６０  表示部、１７０  メモリ部、１８０  操作部、１９０  電源部。
【図１】
2010094410.tif 000003
【図２】
2010094410.tif 000004
【図３】
2010094410.tif 000005
【図４】
2010094410.tif 000006
【図５】
2010094410.tif 000007
【図６】
2010094410.tif 000008
【図７】
2010094410.tif 000009
【図８】
2010094410.tif 000010
【図９】
2010094410.tif 000011
【図１０】
2010094410.tif 000012
【図１１】
2010094410.tif 000013
【図１２】
2010094410.tif 000014